(57)【要約】【課題】光触媒の配設範囲に光を効率よく照射することにより、除去対象ガスを高効率で分解可能なガス分解フィルタユニット及び空気清浄機を提供する。【解決手段】複数のガス分解ペレット（３）を内包し、かつ少なくともガスの流通方向に垂直な側面がガス分解ペレット（３）よりも小さい格子からなるメッシュ（５）を有する筐体（１Ａ）と、筐体（１Ａ）の側面に沿って配設された複数のガス分解ペレット（３）のの少なくとも一方向の配設範囲に延設され、かつ光源（２）からの入射光により複数のガス分解ペレット（３）に光を出射する導光部材４Ａとが備えられている。【選択図】図１
2015150393.tif 000002
【特許請求の範囲】
【請求項１】
光触媒が担持された複数のガス分解ペレットと該複数のガス分解ペレットに光を照射する光源とを備えて該複数のガス分解ペレットを流通するガスに含まれる除去対象ガスを分解するガス分解フィルタユニットにおいて、
上記複数のガス分解ペレットを内包し、かつ少なくともガスの流通方向に垂直な側面が該ガス分解ペレットよりも小さい格子からなるメッシュ状側面壁を有する筐体と、
上記筐体の側面に沿って配設された上記複数のガス分解ペレットの少なくとも一方向の配設範囲に延設され、かつ上記光源からの入射光により該複数のガス分解ペレットに光を出射する導光部材とが備えられていることを特徴とするガス分解フィルタユニット。
【請求項２】
前記ガス分解ペレットは、吸着剤を含み、かつ該吸着剤と前記光触媒とが互いに接触するようにペレット状にして一体的に形成されていることを特徴とする請求項１記載のガス分解フィルタユニット。
【請求項３】
前記吸着剤は、活性炭、ゼオライト、セピオライト、又はこれらを含んだ混合物からなっていることを特徴とする請求項２記載のガス分解フィルタユニット。
【請求項４】
前記光触媒は、二酸化チタン（ＴｉＯ２）、三酸化タングステン（ＷＯ３）、又はこれらを含んだ混合物からなっていることを特徴とする請求項１、２又は３記載のガス分解フィルタユニット。
【請求項５】
前記導光部材は、板状にてなっていることを特徴とする請求項１〜４のいずれか１項に記載のガス分解フィルタユニット。
【請求項６】
前記導光部材は、波板状にてなっていることを特徴とする請求項１〜５のいずれか１項に記載のガス分解フィルタユニット。
【請求項７】
前記導光部材は、円柱状にてなっていると共に、
前記筐体は、円筒形にてなっていることを特徴とする請求項１〜４のいずれか１項に記載のガス分解フィルタユニット。
【請求項８】
請求項１〜７のいずれか１項に記載のガス分解フィルタユニットを備えていることを特徴とする空気清浄機。
【発明の詳細な説明】
【技術分野】
【０００１】
本発明は、光触媒を用いたガス分解フィルタユニット及び空気清浄機に関するものであり、特に、光触媒の配設範囲に光を効率よく照射することにより、除去対象ガスを高効率で分解可能なガス分解フィルタユニット及び空気清浄機に関する。
【背景技術】
【０００２】
従来、吸着剤と光触媒とを利用して空気清浄機能を発揮する空気清浄機が知られている。吸着剤と光触媒とを用いた空気清浄機は、内部に取り込まれた空気の流路中に設けられた吸着剤によって有害物質を吸着し、該吸着剤に担持された光触媒に光を照射することによって、吸着剤が吸着した有害物質を分解する。
【０００３】
例えば、特許文献１及び特許文献２には、吸着剤と光触媒を用いた空気清浄機が開示されている。
【０００４】
具体的には、特許文献１には、吸着剤と光触媒とを用いた空気清浄機の一例として、車載型の化学物質除去装置が開示されている。特許文献１に開示された化学物質除去装置は、有害物質に応じた複数の種類の吸着剤を用いる。そして、流路内に設けられた吸着剤と光触媒とからなる脱臭フィルタにて吸着を行い、別途流路内に設けられた光源から光触媒に光を照射することによって分解を行う。
【０００５】
この方法によれば、流路を流れてきた有害物質を含む空気から有害物質を吸着剤によって吸着する。また、流路内において、脱臭フィルタ面に向かって正面に設けられた光源から光照射を行うことによって、吸着剤が吸着した有害物質の分解を光触媒によって行うことができる。
【０００６】
また、特許文献２に開示された光再生可能な吸着剤においても、光触媒を担持した吸着剤を用いて有害物質を吸着する。また、流路内下流に設けられた光源により光照射を行って、吸着剤が吸着した有害物質の分解を光触媒によって行う。
【先行技術文献】
【特許文献】
【０００７】
【特許文献１】特開２００１−２３２１５４号公報（２００１年８月２８日公開）
【特許文献２】特開２０１１−２００８５７号公報（２０１１年１０月１３日公開）
【発明の概要】
【発明が解決しようとする課題】
【０００８】
しかしながら、上記特許文献１及び特許文献２に開示された従来のガス分解フィルタユニット及び空気清浄機は、いずれも光触媒に対し光を照射して有害物質の分解を図るものでありながら、光の照射方法については効率よくなされる工夫が取り入れられていないという問題点を有している。
【０００９】
すなわち、光触媒の分解効率は、光照射の強さに大きく依存するため、より一層効率よく光を照射することのできる方法が望まれている。この点、従来の特許文献１及び特許文献２に開示された照射方法では、いずれも光触媒を担持した吸着剤の配設方向に対して中央又は３か所にのみ点光源が存在している。この結果、吸着剤の配設方向に対して端部では、光源からの光が十分に届かず、光の照射効率が十分ではなく、その結果、有害物質の処理効率の低下の原因にもなり得る。
【００１０】
本発明は、上記従来の問題点に鑑みなされたものであって、その目的は、光触媒の配設範囲に光を効率よく照射することにより、除去対象ガスを高効率で分解可能なガス分解フィルタユニット及び空気清浄機を提供することにある。
【課題を解決するための手段】
【００１１】
本発明の一態様におけるガス分解フィルタユニットは、上記の課題を解決するために、光触媒が担持された複数のガス分解ペレットと該複数のガス分解ペレットに光を照射する光源とを備えて該複数のガス分解ペレットを流通するガスに含まれる除去対象ガスを分解するガス分解フィルタユニットにおいて、上記複数のガス分解ペレットを内包し、かつ少なくともガスの流通方向に垂直な側面が該ガス分解ペレットよりも小さい格子からなるメッシュ状側面壁を有する筐体と、上記筐体の側面に沿って配設された上記複数のガス分解ペレットの少なくとも一方向の配設範囲に延設され、かつ上記光源からの入射光により該複数のガス分解ペレットに光を出射する導光部材とが備えられていることを特徴としている。
【００１２】
本発明の一態様における空気清浄機は、上記の課題を解決するために、前記記載のガス分解フィルタユニットを備えていることを特徴としている。
【発明の効果】
【００１３】
本発明の一態様によれば、光触媒の配設範囲に光を効率よく照射することにより、除去対象ガスを高効率で分解可能なガス分解フィルタユニット及び空気清浄機を提供するという効果を奏する。
【図面の簡単な説明】
【００１４】
【図１】（ａ）は本発明の実施形態１におけるガス分解フィルタユニットの構成を示す正面断面図であり、（ｂ）は上記ガス分解フィルタユニットの構成を示す側面断面図である。
【図２】上記ガス分解フィルタユニットの構成を示す斜視図である。
【図３】上記ガス分解フィルタユニットの筐体に内包されるガス分解ペレットの構成を示す斜視図である。
【図４】上記ガス分解フィルタユニットの筐体に内包されるガス分解ペレットの変形例の構成を示す斜視図である。
【図５】本発明の実施形態２におけるガス分解フィルタユニットの構成を示す斜視図である。
【図６】上記ガス分解フィルタユニットの構成を示す正面断面図である。
【図７】本発明の実施形態３におけるガス分解フィルタユニットの構成を示す斜視図である。
【図８】上記ガス分解フィルタユニットの構成を示す正面断面図である。
【図９】本発明の実施形態４におけるガス分解フィルタユニットの構成を示す斜視図である。
【図１０】上記ガス分解フィルタユニットの構成を示す正面断面図である。
【図１１】本発明の実施形態５における空気清浄機の構成を示す斜視図である。
【発明を実施するための形態】
【００１５】
〔実施の形態１〕
本発明の一実施形態について図１〜図４に基づいて説明すれば、以下のとおりである。尚、以下に説明する実施形態は本発明の一例であって、発明の内容を制限するものではない。
【００１６】
〔ガス分解フィルタユニットの構成〕
本実施の形態のガス分解フィルタユニット１０Ａの概略構成について、図２に基づいて説明する。図２は、上記ガス分解フィルタユニット１０Ａの構成を示す斜視図である。
【００１７】
本実施の形態のガス分解フィルタユニット１０Ａは、図２に示すように、筐体１Ａに対して下側の光源２から光を入射する構成となっている。尚、本実施の形態では、複数の光源２を用いているが、１つの光源２でも構わないし、１つの光源２から導光によって分配しても構わない。また、光源２は筐体１Ａの外部に設置されているが、筐体１Ａの内部に内包されていても本発明の本質的な効果には影響を及ぼさない。
【００１８】
次に、図１の（ａ）（ｂ）及び図３に基づいて、ガス分解フィルタユニット１０Ａの詳細構成について説明する。図１の（ａ）は、本実施の形態におけるガス分解フィルタユニット１０Ａの構成を示す正面断面図である。図１の（ｂ）は、上記ガス分解フィルタユニット１０Ａの構成を示す側面断面図である。
【００１９】
本実施の形態のガス分解フィルタユニット１０Ａでは、図１の（ａ）（ｂ）に示すように、筐体１Ａは、立設して複数設けられた導光部材４Ａと、該筐体１Ａの正面及び背面を覆うメッシュ状側面壁としてのメッシュ５と、底面及び上面を覆う外壁６と、後述する複数のガス分解ペレット３を層状に区分する隔床７とによって構成されている。尚、本実施の形態のガス分解フィルタユニット１０Ａでは、導光部材４Ａが５本立設されており、隔床７は３個設けられているが、これらの数については限定されない。また、本実施の形態では、図１の（ａ）において左右の両端にも導光部材４Ａが立設されているが、必ずしもこれに限らず、左右の両端は側面を覆う外壁６とすることも可能である。ただし、複数のガス分解ペレット３の照射効率の観点からすると、左右の両端にも導光部材４Ａが立設されている方が好ましい。
【００２０】
本実施の形態のガス分解フィルタユニット１０Ａでは、上記筐体１Ａの内部における導光部材４Ａとメッシュ５と隔床７又は外壁６とによって囲まれた空間に複数のガス分解ペレット３が内包されている。
【００２１】
上記ガス分解ペレット３は、メッシュ５の格子開口よりも大きな粒径を有している。
【００２２】
ここで、ガス分解ペレット３の具体的構成について、図３及び図４に基づいて説明する。図３は、ガス分解フィルタユニット１０Ａの筐体１Ａに内包されるガス分解ペレット３の構成を示す斜視図である。図４は、上記ガス分解フィルタユニット１０Ａの筐体１Ａに内包されるガス分解ペレット３の変形例の構成を示す斜視図である。
【００２３】
本実施の形態のガス分解ペレット３は、図３に示すように、担体としての粒子状の吸着剤３ａと粒子状の光触媒３ｂとを固めてペレット状に成型することにより構成されている。
【００２４】
吸着剤３ａとしては、本実施の形態では、例えば、活性炭、ゼオライト若しくはセピオライト、又はそれらに添加物を混合したもの等が考えられる。また、吸着剤３ａは、吸着したいガス種によって適宜選択される。したがって、本発明においては、必ずしも活性炭、ゼオライト若しくはセピオライト、又はそれらに添加物を混合したものに限らない。この場合、吸着剤３ａは光触媒３ｂと組み合わせて使用することから、活性炭のような黒色のものよりもゼオライトのような透明又は白色のものが光の利用効率の面で有利になる。
【００２５】
光触媒３ｂとしては、本実施の形態では、例えば、二酸化チタン（ＴｉＯ２）、三酸化タングステン（ＷＯ３）、又はそれらに添加物を混合したもの等が考えられる。ただし、本発明においては、必ずしもこれに限らない。また、光触媒３ｂは、後述の理由により可視光応答型のものが用いられる。
【００２６】
上記ガス分解ペレット３の成型方法としては、特に制限はなく、リングダイ方式若しくはフラットダイ方式による造粒、又はブリケッティングマシンによる造粒でも構わない。
【００２７】
尚、本実施の形態においては、吸着剤３ａを担体としているが、本発明においては必ずしもこれに限らず、担体として吸着剤３ａと他の物質の混合物として形成されていてもよい。例えば、ガス分解ペレット３を成型する場合に、他の物質の混合物として、適宜、バインダーを用いてもよい。この場合、無機バインダーが、光触媒３ｂによる分解の影響を受け難く、好適である。
【００２８】
また、ガス分解ペレット３を成型する場合に、図３に示すように、吸着剤３ａの塊の表面に光触媒３ｂが一部覆うように接していてもよい。或いは、図４に示すように、吸着剤３ａと光触媒３ｂとが混練されて吸着剤３ａの塊の内部まで光触媒３ｂが存在していてもよい。
【００２９】
例えば、活性炭のように、光を透過しない吸着剤３ａや、光を反射してしまうような吸着剤３ａであれば、図３に示すように、表面のみに光触媒３ｂが存在する方が高効率である。また、ゼオライトのように、光を透過する吸着剤３ａであれば、図４に示すように、内部まで光触媒３ｂが存在する方が高効率となる。
【００３０】
光源２は、本実施の形態では、導光部材４Ａの高さ方向の少なくとも一端部である下側に設けられている。ただし、必ずしもこれに限らず、導光部材４Ａの高さ方向の上側の端部に設けられていてもよい。また、光源２は、導光部材４Ａにおける筐体１Ａの背面側の端部に設けられていてもよい。
【００３１】
また、光源２は、可視光光源であればよく、例えばＬＥＤ（Light Emitting Diode：発光ダイオード）等が用いられる。発光スペクトルは、必ずしも単ピークである必要はないが、ガス分解ペレット３に用いられている光触媒３ｂの吸収波長付近にピークを有することが好ましい。
【００３２】
上記導光部材４Ａは、図１の（ａ）に示すように、光源２から入射された光をガス分解ペレット３に向かって出射するものである。本実施の形態では、導光部材４Ａは、複数のガス分解ペレット３の少なくとも１方向の配設方向に沿ってその配設範囲に延設され、かつ該複数のガス分解ペレット３の配設方向に対して垂直に光を出射する。したがって、本実施の形態では、導光部材４Ａは、縦方向に立設されたものからなっているが、本発明では必ずしもこれに限らず、横方向に延設されていてもよい。
【００３３】
また、本実施の形態では、導光部材４Ａは、例えば平板状となっており、複数の平板がガスの流通方向に対して平行となるように配設されている。したがって、本実施の形態では、導光部材４Ａは、点光源ではなく、少なくとも線状光源の機能を有している。
【００３４】
導光部材４Ａは、ガス分解ペレット３に用いられている光触媒３ｂの吸収波長付近での透過率が高いことが重要になるが、材質として一般に用いられるアクリルやポリカーボネートは紫外線の透過率が低い。したがって、ガス分解ペレット３に用いる光触媒３ｂは、可視光応答型であり、光源２が可視光光源であることにより、導光部材４Ａにアクリルやポリカーボネート等の一般的な導光材料を用いることができるようになる。
【００３５】
また、導光部材４Ａは、光源２から入射された光をガス分解ペレット３に向かって出射させるために、その表面には適宜凹凸が形成されている。また、最も端に設置されて筐体１Ａの側壁となる導光部材４Ａは、筐体１Ａの外へ光を漏らさないように、その筐体１Ａの側壁に該当する面には反射処理が施されていてもよい。極端には、筐体１Ａの側壁となる部材は導光部材４Ａでなく外壁６と同質材料が用いられていてもよい。この場合、外壁６の外側表面は反射処理が施されていることが好ましい。
【００３６】
メッシュ５は、前述したように、その開口がガス分解ペレット３の粒径よりも小さければよい。材質は特に問わないが、無機材料を用いれば、光触媒３ｂによる分解を受け難く好適である。尚、メッシュ５は、図１の（ｂ）に示すように、筐体１Ａの表面及び裏面に取り付けられており、これによってガス分解ペレット３が筐体１Ａの外へ出ていくことを防いでいる。
【００３７】
隔床７は、筐体１Ａの内部の空間を細かく区切るために用いられており、その主な目的は、ガス分解ペレット３を筐体１Ａ内になるべく偏りなく均一に分布して存在させることにある。したがって、隔床７の表面及び外壁６の内側表面を反射処理しておくことにより、光の利用効率の低下を防ぐことができる。また、隔床７及び外壁６は、透明であってもよいし、又は導光部材４Ａと同じ材料が用いられてもよい。
【００３８】
〔ガス分解フィルタユニットの作用〕
上記構成を有するガス分解フィルタユニット１０Ａの作用について説明する。
【００３９】
図１の（ｂ）及び図２に示すように、筐体１Ａの表面と裏面とはメッシュ５によって構成されている。このため、ガス分解ペレット３は、筐体１Ａの外へは出て行かないが、ガスは自由に出入りができる。
【００４０】
分解したい有害な除去対象ガスとして、例えばホルムアルデヒドやアセトアルデヒドといった揮発性有機化合物（ＶＯＣ：Volatile Organic Compounds）ガス、アンモニア又はタバコ等が挙げられる。これらの主に悪臭となるような有機ガスは、筐体１Ａの内部でガス分解ペレット３の吸着剤３ａによって吸着される。除去対象ガスが吸着されると、筐体１Ａ内部の除去対象ガス濃度が下がるため、除去対象ガスの濃度勾配によってさらにガスが筐体１Ａの内部に入り込み、除去対象ガスの吸着が進む。ここで、濃度勾配による除去対象ガスの移動だけでは除去対象ガスの移動速度が遅いのであれば、別途ファン等により気流を作り出し、能動的に除去対象ガスを筐体１Ａの内部に送り込んでもよい。いずれにしろ、これらによって、ガス分解ペレット３の吸着剤３ａに除去対象ガスを吸着させることができる。尚、図１の（ａ）に示すように、ガス流路に対してガス分解ペレット３と導光部材４Ａとは並列関係にあるため、導光部材４Ａがガスの流れを妨げてガス分解ペレット３の吸着効率を下げるということはない。
【００４１】
次に、図１の（ａ）に示すように、複数の導光部材４Ａの各端部に配された光源２にて発光された光は、各々が光源２の対向面にある導光部材４Ａの内部に取り込まれる。光は導光部材４Ａの中を伝播すると共に、その表面から飛び出し、直接に又は隔床７の表面若しくは外壁６の内側表面にて反射して、ガス分解ペレット３へと照射される。
【００４２】
このように、複数のガス分解ペレット３の配設方向に沿ってその配設範囲に延設された導光部材４Ａによって、光源２の光をガス分解ペレット３のすぐそばまで少ない減衰で導き、近い距離から照射を行うことができる。この結果、ガス分解ペレット３の光触媒３ｂによるガス分解性能を高めることができる。
【００４３】
ガス分解ペレット３においては、光触媒３ｂに光が照射されることにより、活性種が生成される。これら活性種は、強い酸化力を有し有害ガスを分解する作用を持つ。その反面、寿命が短く、発生箇所の近傍に濃い濃度の有害ガスが存在しなければ十分なガス分解効果を発揮することなく消滅してしまう。
【００４４】
本実施の形態におけるガス分解ペレット３においては、光触媒３ｂのすぐ近傍に吸着剤３ａが多量の有害ガスを吸着した状態で存在している。このため、光触媒３ｂに光が照射されることによって生成された活性種は、有害ガスつまり除去対象ガスに対して有効に働き、高い効率で有害ガスの分解を行うことができる。
【００４５】
このように、本実施の形態のガス分解フィルタユニット１０Ａは、光触媒３ｂが担持された複数のガス分解ペレット３と該複数のガス分解ペレット３に光を照射する光源２とを備えて該複数のガス分解ペレット３を流通するガスに含まれる除去対象ガスを分解する。そして、ガス分解フィルタユニット１０Ａは、複数のガス分解ペレット３を内包し、かつ少なくともガスの流通方向に垂直な側面が該ガス分解ペレット３よりも小さい格子からなるメッシュ状側面壁としてのメッシュ５を有する筐体１Ａと、上記筐体１Ａの側面に沿って配設された複数のガス分解ペレット３の配設範囲に延設され、かつ光源２からの入射光により該複数のガス分解ペレット３に光を出射する導光部材４Ａとが備えられている。
【００４６】
上記の構成によれば、ガス分解フィルタユニット１０Ａは、複数のガス分解ペレット３を内包し、かつ少なくともガスの流通方向に垂直な側面が該ガス分解ペレット３よりも小さい格子からなるメッシュ５を有する筐体１Ａを備えている。したがって、ガスは、筐体１Ａの側面からメッシュ５を介して複数のガス分解ペレット３の間を通過する。
【００４７】
ここで、本実施の形態では、筐体１Ａの側面に沿って配設された複数のガス分解ペレット３の配設範囲に延設され、かつ光源２からの入射光により該複数のガス分解ペレット３に光を出射する導光部材４Ａが備えられている。
【００４８】
この結果、光源２からの入射光は、導光部材４Ａの内部を導光される途中で導光部材４Ａにおける、複数のガス分解ペレット３に対向する出射表面から出射される。このとき、導光部材４Ａは、複数のガス分解ペレット３の少なくとも一方向の配設範囲に延設されているので、複数のガス分解ペレット３の配設方向に沿う一方の端部から他方の端部までの全体に亘って、導光部材４Ａの出射表面から光が出射される。
【００４９】
ここで、従来では、複数のガス分解ペレットの配設方向に沿う例えば中央位置からの点光源にて出射していたので、複数のガス分解ペレットの配設方向に沿う端部では光の照射強度が低かった。
【００５０】
これに対して、本実施の形態では、導光部材４Ａを用いることにより、複数のガス分解ペレット３の配設方向の全体に亘って、複数のガス分解ペレット３に対して垂直光が照射される。このため、本実施の形態の導光部材４Ａは、例えば縦方向又は横方向の線状光源にてなっており、点光源ではない。この結果、複数のガス分解ペレット３の全体に亘って強い光が照射されるので、光の照射効率が高い。
【００５１】
したがって、光触媒の配設範囲に光を効率よく照射することにより、除去対象ガスを高効率で分解可能なガス分解フィルタユニット１０Ａを提供することができる。
【００５２】
また、本実施の形態のガス分解フィルタユニット１０Ａでは、ガス分解ペレット３は、吸着剤３ａを含み、かつ吸着剤３ａと光触媒３ｂとが互いに接触するようにペレット状にして一体的に形成されている。
【００５３】
これにより、複数のガス分解ペレット３を流通するガスに含まれる除去対象ガスを吸着剤３ａにて吸着することができ、光触媒３ｂにて除去対象ガスを分解することができる。そして、ガス分解ペレット３は、吸着剤３ａと光触媒３ｂとが互いに接触するようにペレット状にして一体的に形成されているので、一個のガス分解ペレット３が塊状となっている。このため、筐体１Ａにおけるメッシュ５の格子の大きさを粗くすることができるので、複数のガス分解ペレット３の間を流通するガスの流れをよくすることができる。
【００５４】
したがって、除去対象ガスを高効率で分解可能なガス分解フィルタユニット１０Ａを提供することができる。
【００５５】
また、本実施の形態におけるガス分解フィルタユニット１０Ａでは、吸着剤３ａは、活性炭、ゼオライト、セピオライト、又はこれらを含んだ混合物からなっている。
【００５６】
例えば、活性炭は、ベンゼン、トイレット臭、酢酸等の多数のガスの吸着性能に優れている。また、ゼオライト及びセピオライトは、ガスや水分等の吸着に優れ、脱臭処理剤として使用されている。
【００５７】
したがって、吸着剤３ａとして、活性炭、ゼオライト、セピオライト、又はこれらを含んだ混合物を用いることによって、除去対象ガスを高効率で分解可能なガス分解フィルタユニット１０Ａを提供することができる。
【００５８】
また、本実施の形態におけるガス分解フィルタユニット１０Ａでは、光触媒３ｂは、二酸化チタン（ＴｉＯ２）、三酸化タングステン（ＷＯ３）、又はこれらを含んだ混合物からなっている。
【００５９】
例えば、二酸化チタン（ＴｉＯ２）は、光を照射することにより、空気中の揮発性有機化合物（ＶＯＣ）を除去したり、アンモニア又はタバコ等の悪臭を分解したりすることができる光触媒機能を有している。また、三酸化タングステン（ＷＯ３）は、難分解性の揮発性有機化合物（ＶＯＣ）でも完全酸化分解することができる光触媒機能を有している。
【００６０】
したがって、光触媒として、二酸化チタン（ＴｉＯ２）、三酸化タングステン（ＷＯ３）、又はこれらを含んだ混合物を用いることによって、除去対象ガスを高効率で分解可能なガス分解フィルタユニット１０Ａを提供することができる。
【００６１】
また、本実施の形態におけるガス分解フィルタユニット１０Ａでは、導光部材４Ａは、板状にてなっている。
【００６２】
これにより、板状として平板の導光部材４Ａをガスの流通方向に平行にして配設することによって、平板の導光部材４Ａはガスの流通抵抗にならない。また、このように平板状の導光部材４Ａをガスの流通方向に平行にして配設することによって、複数のガス分解ペレット３に対して面光源として作用する。このため、光触媒の高さ方向の配設範囲だけでなく奥行方向の配設範囲に対しても全体に亘って光を照射することができる。
【００６３】
したがって、除去対象ガスをさらに高効率で分解可能なガス分解フィルタユニット１０Ａを提供することができる。
【００６４】
〔実施の形態２〕
本発明の他の実施の形態について図５及び図６に基づいて説明すれば、以下のとおりである。尚、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００６５】
前記実施の形態１におけるガス分解フィルタユニット１０Ａでは、導光部材４Ａは平板にてなっていたが、本実施の形態におけるガス分解フィルタユニット１０Ｂの導光部材４Ｂでは、波板状になっている点が異なっている。
【００６６】
本実施の形態のガス分解フィルタユニット１０Ｂの構成について、図５及び図６に基づいて説明する。図５は、本実施の形態におけるガス分解フィルタユニット１０Ｂの構成を示す斜視図である。図６は、上記ガス分解フィルタユニット１０Ｂの構成を示す正面断面図である。
【００６７】
本実施の形態のガス分解フィルタユニット１０Ｂは、図５に示すように、外観については実施の形態１のガス分解フィルタユニット１０Ａと略同様になっている。また、図６に示すように、ガス分解フィルタユニット１０Ｂの内部の構成要素についても実施の形態１のガス分解フィルタユニット１０Ａと略同様になっている。
【００６８】
すなわち、ガス分解フィルタユニット１０Ｂは、図６に示すように、光源２と、ガス分解ペレット３と、導光部材４Ｂと、メッシュ状側面壁としてのメッシュ５と、底面、上面及び側面を覆う外壁６とを備えている。ガス分解ペレット３は、メッシュ５の開口よりも大きな粒径を有し、導光部材４Ｂは、光源２から入射された光をガス分解ペレット３に向かって出射するように設置されている。
【００６９】
そして、導光部材４Ｂとメッシュ５と外壁６とによって筐体１Ａが構成されている。ガス分解ペレット３は、導光部材４Ｂとメッシュ５と外壁６とによって囲まれた空間に内包されている。
【００７０】
しかしながら、本実施の形態においては、導光部材４Ｂは、波板状となっている。そして、本実施の形態では、導光部材４Ｂにおける波の位相をずらして設置することにより、筐体１Ａの内部の空間を細かく区切っている。このことにより、前記実施の形態１におけるガス分解フィルタユニット１０Ａにおいて存在した、筐体１Ａの内部空間を区切るための隔床７を省略することができる。一方、筐体１Ａの側壁となる部分は外壁６によって構成し、筐体１Ａの外形を整えると共に、光を外壁６にて反射させて筐体１Ａから漏れることを防いでいる。
【００７１】
上述した方法により、実施形態１と同様の効果を、より少ない部品点数で実現することができる。
【００７２】
このように、本実施の形態のガス分解フィルタユニット１０Ｂでは、導光部材４Ｂは、波板状にてなっている。
【００７３】
すなわち、前記実施の形態１のガス分解フィルタユニット１０Ａのように、導光部材４Ａを平板とする場合においては、筐体１Ａに複数のガス分解ペレット３を内包するときに、複数のガス分解ペレット３における高さ方向の積載密度を均一にするためには、途中に隔床７を設けて各層を区画することが好ましい。しかし、そのようにすると、隔床７を設けることにより、筐体１Ａに内包される複数のガス分解ペレット３の充填率が低下する。
【００７４】
これに対して、本実施の形態では、導光部材４Ｂを波板状としており、この波板状の導光部材４Ｂは、隔床７の代用品として使用することができる。
【００７５】
したがって、筐体１Ａに内包される複数のガス分解ペレット３の充填率が低下するのを防止して、除去対象ガスを高効率で分解可能なガス分解フィルタユニット１０Ｂを提供することができる。
【００７６】
〔実施の形態３〕
本発明のさらに他の実施の形態について図７及び図８に基づいて説明すれば、以下のとおりである。尚、本実施の形態において説明すること以外の構成は、前記実施の形態１及び実施の形態２と同じである。また、説明の便宜上、前記の実施の形態１及び実施の形態２の図面に示した部材と同一の機能を有する部材については、同一の符号を付し、その説明を省略する。
【００７７】
前記実施の形態１及び実施の形態２におけるガス分解フィルタユニット１０Ａ・１０Ｂでは、筐体１Ａは直方体にてなっていたが、本実施の形態におけるガス分解フィルタユニット１０Ｃでは筐体１Ｂは円筒形にてなっている点が異なっている。
【００７８】
本実施の形態のガス分解フィルタユニット１０Ｃの構成について、図７及び図８に基づいて説明する。図７は、本実施の形態におけるガス分解フィルタユニット１０Ｃの構成を示す斜視図である。図８は、上記ガス分解フィルタユニット１０Ｃの構成を示す正面断面図である。
【００７９】
本実施の形態のガス分解フィルタユニット１０Ｃは、図７に示すように、外観については実施の形態１におけるガス分解フィルタユニット１０Ａや実施の形態２におけるガス分解フィルタユニット１０Ｂとは異なり、筐体１Ｂは直方体ではなく円筒形となっている。
【００８０】
また、ガス分解フィルタユニット１０Ｃの内部の構成要素については、図８に示すように、実施の形態１や実施の形態２と略同様であり、光源２と、ガス分解ペレット３と、導光部材４Ｃと、メッシュ状側面壁としてのメッシュ５と、底面及び上面を覆う外壁６とを備えている。また、ガス分解ペレット３はメッシュ５の開口より大きな粒径を有し、導光部材４Ｃは光源２から入射された光をガス分解ペレット３に向かって出射するように設置されている。さらに、導光部材４Ｃとメッシュ５と外壁６とによって筐体１Ｂが構成されており、ガス分解ペレット３は導光部材４Ｃとメッシュ５と外壁６によって囲まれた空間に内包されている。
【００８１】
しかしながら、本実施の形態のガス分解フィルタユニット１０Ｃにおいては、筐体１Ｂは、メッシュ５を側面とし、かつ上面及び底面を覆う外壁６を有する円筒形としている。そして、導光部材４Ｃは、円柱状にてなっており、筐体１Ｂの円筒の中心軸に沿って設置されている。したがって、本実施の形態においては、導光部材４Ｃは１つしか設置されていない。そして、光源２は、導光部材４Ｃの一方の端部に１つ、又は導光部材４Ｃの両方の端部に２つ設置されることが好ましい。尚、図８においては、光源２が１つ設置された一例を示している。
【００８２】
本実施の形態では、導光部材４Ｃが１つしか設置されないことから、筐体１Ｂの円筒の径はそれほど大きくできない。なぜなら、導光部材４Ｃからの距離が離れる程ガス分解ペレット３に照射される光の量が少なくなり、ガス分解効率が低くなってしまうからである。
【００８３】
一方、それに伴い、筐体１Ｂの内部の空間がそれほど大きくなることがないので、筐体１Ｂの内部の空間を細かく区切るための前述した隔床７が無くてもガス分解ペレット３はそれほど偏らなくなる。尚、図９においては、筐体１Ｂの内部の空間を細かく区切る目的の隔床７が無い場合の例を示している。
【００８４】
本実施の形態においては、導光部材４Ｃが円柱であり、その周りにガス分解ペレット３が存在している。このため、導光部材４Ｃから出射した光を反射等によるロスなくガス分解ペレット３に照射することができる。この結果、コンパクトなスペースで効率よく有害ガスつまり除去対象ガスの分解を行うことができる。
【００８５】
このように、本実施の形態のガス分解フィルタユニット１０Ｃでは、導光部材４Ｃは、円柱状にてなっていると共に、筐体１Ｂは、円筒形にてなっている。
【００８６】
これにより、筐体１Ｂを円筒形とし、その円筒の軸部に円柱状の導光部材４Ｃを配設することができる。この結果、円柱状の導光部材４Ｃの周りに複数のガス分解ペレット３が存在するので、導光部材４Ｃから出射した光を反射等によるロスなくガス分解ペレット３に照射することができる。
【００８７】
したがって、コンパクトなスペースにて、除去対象ガスを高効率で分解可能なガス分解フィルタユニット１０Ｃを提供することができる。
【００８８】
〔実施の形態４〕
本発明のさらに他の実施の形態について図９及び図１０に基づいて説明すれば、以下のとおりである。尚、本実施の形態において説明すること以外の構成は、前記実施の形態１〜実施の形態３と同じである。また、説明の便宜上、前記の実施の形態１〜実施の形態３の図面に示した部材と同一の機能を有する部材については、同一の符号を付し、その説明を省略する。
【００８９】
前記実施の形態１、実施の形態２及び実施の形態３におけるガス分解フィルタユニット１０Ａ・１０Ｂ・１０Ｃでは、筐体１Ａ・１Ｂの内部にガス分解ペレット３のみが内包されていたが、本実施の形態におけるガス分解フィルタユニット１０Ｄではガス分解ペレット３に加えて金属粒子８が内包されている点が異なっている。
【００９０】
本実施の形態のガス分解フィルタユニット１０Ｄの構成について、図９及び図１０に基づいて説明する。図９は、本実施の形態におけるガス分解フィルタユニット１０Ｄの構成を示す斜視図である。図１０は、上記ガス分解フィルタユニット１０Ｄの構成を示す正面断面図である。
【００９１】
本実施の形態のガス分解フィルタユニット１０Ｄは、図９に示す通り、外観については実施の形態１におけるガス分解フィルタユニット１０Ａ及び実施の形態２におけるガス分解フィルタユニット１０Ｂと略同様となっている。
【００９２】
また、図１０に示すように、本実施の形態のガス分解フィルタユニット１０Ｄは、筐体１Ａ・１Ｂの内部の構成要素についても実施の形態１及び実施の形態２と略同様である。
【００９３】
すなわち、ガス分解フィルタユニット１０Ｄは、光源２と、ガス分解ペレット３と、例えば、導光部材４Ａとメッシュ５と外壁６と隔床７とを備えている。また、ガス分解ペレット３はメッシュ５の格子開口よりも大きな粒径を有し、導光部材４Ａは、光源２から入射された光をガス分解ペレット３に向かって出射するように設置されている。さらに、導光部材４Ａとメッシュ５と外壁６と隔床７とによって筐体１Ａが構成されており、ガス分解ペレット３は、導光部材４Ａとメッシュ５と外壁６又は隔床７とによって囲まれた空間に内包されている。
【００９４】
しかしながら、本実施の形態においては、筐体１Ａの内部には、ガス分解ペレット３と共に、金属粒子８が内包されている。
【００９５】
金属粒子８としては、ガス分解ペレット３に用いられる光触媒３ｂの吸収波長付近で反射率の高い金属であれば何でもよい。例えばアルミニウムや銀等が考えられる。また、金属粒子８の大きさは、ガス分解ペレット３と同程度であり、メッシュ５の格子開口よりも大きければ特に制限はない。
【００９６】
このように、金属粒子８をガス分解ペレット３と共に筐体１Ａの内部に内包させることにより、金属粒子８が導光部材４Ａから出射した光を反射するので、導光部材４Ａから比較的遠い位置にあるガス分解ペレット３が、他のガス分解ペレット３の影になり光が照射されなくなるというリスクを低減することができる。
【００９７】
上述した方法により、ガス分解ペレット３への光の照射量を多くすることができ、高効率で有害ガスの分解を行うことができる。
【００９８】
このように、本実施の形態のガス分解フィルタユニット１０Ｄでは、筐体１Ａの内部には、ガス分解ペレット３と共に金属粒子８が内包されている。この結果、金属粒子８にて導光部材４Ｃからの光が反射されて、導光部材４Ｃから遠方に存在するガス分解ペレット３の隅々にまで照射される。
【００９９】
したがって、光触媒の配設範囲に光を効率よく照射することにより、除去対象ガスを高効率で分解可能なガス分解フィルタユニット１０Ｄを提供することができる。
【０１００】
尚、上記の説明では、実施の形態１のガス分解フィルタユニット１０Ａにおいて、ガス分解ペレット３と共に金属粒子８を混入したガス分解フィルタユニット１０Ｄについて説明した。しかしながら、本発明においては、必ずしもこれに限らず、実施の形態２におけるガス分解フィルタユニット１０Ｂ、実施の形態３におけるガス分解フィルタユニット１０Ｃにおいても、ガス分解ペレット３と共に金属粒子８を混入することが可能である。
【０１０１】
〔実施の形態５〕
本発明のさらに他の実施の形態について図１１に基づいて説明すれば、以下のとおりである。尚、本実施の形態において説明すること以外の構成は、前記実施の形態１〜実施の形態４と同じである。また、説明の便宜上、前記の実施の形態１〜実施の形態４の図面に示した部材と同一の機能を有する部材については、同一の符号を付し、その説明を省略する。
【０１０２】
本実施の形態では、前記実施の形態１〜実施の形態４におけるガス分解フィルタユニット１０Ａ・１０Ｂ・１０Ｃ・１０Ｄを備えた空気清浄機２０について説明する。
【０１０３】
本実施の形態のガス分解フィルタユニット１０Ａ〜１０Ｄを備えた空気清浄機２０の構成について、図１１に基づいて説明する。図１１は、本実施の形態における空気清浄機２０の構成を示す斜視図である。
【０１０４】
本実施の形態の空気清浄機２０は、図１１に示すように、前面又は背面にから空気を吸い、上部から空気を出すように構成されている。勿論、この構成は一例であり、吸気・排気の場所は、上記に捕われない。また、気流を発生させる仕組みは、一般的なものであってよく、単純にはファンが考えられる。
【０１０５】
本実施の形態における空気清浄機２０では、その流路中に本実施の形態のガス分解フィルタユニット１０Ａ〜１０Ｄのいずれか設置されている。そして、ガス分解フィルタユニット１０Ａ〜１０Ｄのいずれかによって空気中の有害ガスである除去対象ガスが分解される。尚、分解の仕組みについては、実施の形態１〜４にて説明した通りである。
【０１０６】
上記の構成によって、本実施の形態における空気清浄機２０では、有害ガスの吸収分解を行い、その結果としての脱臭を行うことができる。
【０１０７】
また、前記実施の形態１〜４におけるガス分解フィルタユニット１０Ａ〜１０Ｄのいずれかを利用して空気清浄機２０を構成することによって、脱臭に吸着剤３ａのみを用いた脱臭フィルタユニットを利用して構成される一般的な空気清浄機と違い、脱臭の方法としてガスの吸着だけではなくガスの分解までを行うことができる。
【０１０８】
この結果、脱臭性能に理論的には寿命は無く、脱臭フィルタユニットの交換を行う必要が無い。
【０１０９】
尚、本実施の形態における空気清浄機２０の内部では、本実施の形態のガス分解フィルタユニット１０Ａ〜１０Ｄのいずれか以外のフィルタユニット、例えば除塵を目的としたＨＥＰＡフィルタ（High Efficiency Particulate Air Filter）ユニットや、加湿を目的とした加湿フィルタユニット等が設置されていても構わない。或いは、放電やイオン発生によるユニットと組み合わせて使用することも可能である。
【０１１０】
以上のことから、前記実施の形態１〜４におけるガス分解フィルタユニット１０Ａ〜１０Ｄを用いて空気清浄機２０を構成することによって、脱臭フィルタユニットの交換が不要な空気清浄機２０を実現することができる。
【０１１１】
このように、本実施の形態における空気清浄機２０は、前記実施の形態１〜４におけるガス分解フィルタユニット１０Ａ〜１０Ｄを備えている。したがって、光触媒３ｂの配設範囲に光を効率よく照射することにより、除去対象ガスを高効率で分解可能なガス分解フィルタユニット１０Ａ〜１０Ｄを備えた空気清浄機２０を提供することができる。
【０１１２】
〔まとめ〕
本発明の態様１におけるガス分解フィルタユニット１０Ａ〜１０Ｄは、光触媒３ｂが担持された複数のガス分解ペレット３と該複数のガス分解ペレット３に光を照射する光源２とを備えて該複数のガス分解ペレット３を流通するガスに含まれる除去対象ガスを分解するガス分解フィルタユニットにおいて、上記複数のガス分解ペレット３を内包し、かつ少なくともガスの流通方向に垂直な側面が該ガス分解ペレット３よりも小さい格子からなるメッシュ状側面壁（メッシュ５）を有する筐体１Ａ〜１Ｂと、上記筐体１Ａ〜１Ｂの側面に沿って配設された上記複数のガス分解ペレット３の少なくとも一方向の配設範囲に延設され、かつ上記光源２からの入射光により該複数のガス分解ペレット３に光を出射する導光部材４Ａ〜４Ｃとが備えられていることを特徴としている。
【０１１３】
上記の発明によれば、ガスは、筐体の側面からメッシュ状側面壁を介して複数のガス分解ペレットの間を通過する。
【０１１４】
ここで、本発明では、導光部材を用いることにより、複数のガス分解ペレットの少なくとも一方向の配設方向の全体に亘って、複数のガス分解ペレットに対して垂直光が照射される。このため、本発明の導光部材は、例えば縦方向又は横方向の線状光源にてなっており、点光源ではない。この結果、複数のガス分解ペレットの全体に亘って強い光が照射されるので、光の照射効率が高い。
【０１１５】
したがって、光触媒の配設範囲に光を効率よく照射することにより、除去対象ガスを高効率で分解可能なガス分解フィルタユニットを提供することができる。
【０１１６】
本発明の態様２におけるガス分解フィルタユニット１０Ａ〜１０Ｄは、態様１のガス分解フィルタユニットにおいて、前記ガス分解ペレット３は、吸着剤３ａを含み、かつ該吸着剤３ａと前記光触媒３ｂとが互いに接触するようにペレット状にして一体的に形成されているとすることが可能である。
【０１１７】
これにより、複数のガス分解ペレットを流通するガスに含まれる除去対象ガスを吸着剤にて吸着することができ、光触媒にて除去対象ガスを分解することができる。そして、ガス分解ペレットは、吸着剤と前記光触媒とが互いに接触するようにペレット状にして一体的に形成されているので、一個のガス分解ペレットが塊状となっている。このため、筐体におけるメッシュ状側面壁の格子の大きさを粗くすることができるので、複数のガス分解ペレットの間を流通するガスの流れをよくすることができる。
【０１１８】
したがって、除去対象ガスを高効率で分解可能なガス分解フィルタユニットを提供することができる。
【０１１９】
本発明の態様３におけるガス分解フィルタユニット１０Ａ〜１０Ｄは、態様２のガス分解フィルタユニットにおいて、前記吸着剤３ａは、活性炭、ゼオライト、セピオライト、又はこれらを含んだ混合物からなっているとすることができる。
【０１２０】
例えば、活性炭は、ベンゼン、トイレット臭、酢酸等の多数のガスの吸着性能に優れている。また、ゼオライト及びセピオライトは、ガスや水分等の吸着に優れ、脱臭処理剤として使用されている。
【０１２１】
したがって、吸着剤として、活性炭、ゼオライト、セピオライト、又はこれらを含んだ混合物を用いることによって、除去対象ガスを高効率で分解可能なガス分解フィルタユニットを提供することができる。
【０１２２】
本発明の態様４におけるガス分解フィルタユニット１０Ａ〜１０Ｄは、態様１、２又は３のガス分解フィルタユニットにおいて、前記光触媒３ｂは、二酸化チタン（ＴｉＯ２）、三酸化タングステン（ＷＯ３）、又はこれらを含んだ混合物からなっているとすることができる。
【０１２３】
例えば、二酸化チタン（ＴｉＯ２）は、光を照射することにより、空気中の揮発性有機化合物（ＶＯＣ）を除去したり、アンモニア又はタバコ等の悪臭を分解したりすることができる光触媒機能を有している。また、三酸化タングステン（ＷＯ３）は、難分解性の揮発性有機化合物（ＶＯＣ）でも完全酸化分解することができる光触媒機能を有している。
【０１２４】
したがって、光触媒として、二酸化チタン（ＴｉＯ２）、三酸化タングステン（ＷＯ３）、又はこれらを含んだ混合物を用いることによって、除去対象ガスを高効率で分解可能なガス分解フィルタユニットを提供することができる。
【０１２５】
本発明の態様５におけるガス分解フィルタユニット１０Ａ・１０Ｄは、態様１〜４のいずれか１のガス分解フィルタユニットにおいて、前記導光部材４Ａは、板状にてなっているとすることができる。
【０１２６】
これにより、板状として平板の導光部材をガスの流通方向に平行にして配設することによって、平板の導光部材がガスの流通抵抗にならない。また、このように平板状の導光部材をガスの流通方向に平行にして配設することによって、複数のガス分解ペレットに対して面光源として作用するので、光触媒の高さ方向の配設範囲だけでなく奥行方向の配設範囲に対しても全体に亘って光を照射することができる。
【０１２７】
したがって、除去対象ガスをさらに高効率で分解可能なガス分解フィルタユニットを提供することができる。
【０１２８】
本発明の態様６におけるガス分解フィルタユニット１０Ｂは、態様１〜５のいずれか１のガス分解フィルタユニットにおいて、前記導光部材４Ｂは、波板状にてなっているとすることができる。
【０１２９】
例えば、導光部材を平板とする場合においては、筐体に複数のガス分解ペレットを内包するときに、複数のガス分解ペレットにおける高さ方向の積載密度を均一にするためには、途中に隔床を設けて各層を区画することが好ましい。しかし、そのようにすると、隔床を設けることにより、筐体に内包される複数のガス分解ペレットの充填率が低下する。
【０１３０】
これに対して、本発明では、導光部材を波板状としており、この波板状の導光部材は、隔床の代用品として使用することができる。
【０１３１】
したがって、筐体に内包される複数のガス分解ペレットの充填率が低下するのを防止して、除去対象ガスを高効率で分解可能なガス分解フィルタユニットを提供することができる。
【０１３２】
本発明の態様７におけるガス分解フィルタユニット１０Ｃは、態様１〜４のいずれか１のガス分解フィルタユニットにおいて、前記導光部材４Ｃは、円柱状にてなっていると共に、前記筐体１Ｂは、円筒形にてなっているとすることができる。
【０１３３】
これにより、筐体を円筒形とし、その円筒の軸部に円柱状の導光部材を配設することができる。この結果、円柱状の導光部材の周りに複数のガス分解ペレットが存在するので、導光部材から出射した光を反射等によるロスなくガス分解ペレットに照射することができる。
【０１３４】
したがって、コンパクトなスペースにて、除去対象ガスを高効率で分解可能なガス分解フィルタユニットを提供することができる。
【０１３５】
本発明の態様８における空気清浄機２０は、態様１〜７のいずれか１に記載のガス分解フィルタユニット１０Ａ〜１０Ｄを備えていることを特徴としている。
【０１３６】
上記の発明によれば、光触媒の配設範囲に光を効率よく照射することにより、除去対象ガスを高効率で分解可能なガス分解フィルタユニットを備えた空気清浄機を提供することができる。
【０１３７】
尚、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１３８】
本発明は、光触媒を用いたガス分解フィルタユニット及び空気清浄機に適用することができる。
【符号の説明】
【０１３９】
１Ａ，１Ｂ    筐体
２            光源
３            ガス分解ペレット
３ａ          吸着剤
３ｂ          光触媒
４Ａ〜４Ｃ    導光部材
５            メッシュ（メッシュ状側面壁）
６            外壁
７            隔床
８            金属粒子
１０Ａ〜１０Ｄ  ガス分解フィルタユニット
２０            空気清浄機
【図１】
2015150393.tif 000003
【図２】
2015150393.tif 000004
【図３】
2015150393.tif 000005
【図４】
2015150393.tif 000006
【図５】
2015150393.tif 000007
【図６】
2015150393.tif 000008
【図７】
2015150393.tif 000009
【図８】
2015150393.tif 000010
【図９】
2015150393.tif 000011
【図１０】
2015150393.tif 000012
【図１１】
2015150393.tif 000013
【手続補正書】
【提出日】平成27年4月6日(2015.4.6)
【手続補正１】
【補正対象書類名】特許請求の範囲
【補正対象項目名】全文
【補正方法】変更
【補正の内容】
【特許請求の範囲】
【請求項１】
光触媒が担持された複数のガス分解ペレットと該複数のガス分解ペレットに光を照射する光源とを備えて該複数のガス分解ペレットを流通するガスに含まれる除去対象ガスを分解するガス分解フィルタユニットにおいて、
上記複数のガス分解ペレットを内包し、かつ少なくともガスの流通方向に垂直な側面が該ガス分解ペレットよりも小さい格子からなるメッシュ状側面壁を有する筐体と、
上記筐体の側面に沿って配設された上記複数のガス分解ペレットの少なくとも一方向の配設範囲に延設され、かつ上記光源からの入射光により該複数のガス分解ペレットに光を出射する導光部材とが備えられており、
上記複数のガス分解ペレットは、筐体の内部においてそれぞれ複数の隔床にて区切られた複数の室に区分して設けられていると共に、
上記導光部材は、上記隔床の一部を構成していることを特徴とするガス分解フィルタユニット。
【請求項２】
前記ガス分解ペレットは、吸着剤を含み、かつ該吸着剤と前記光触媒とが互いに接触するようにペレット状にして一体的に形成されていることを特徴とする請求項１記載のガス分解フィルタユニット。
【請求項３】
前記吸着剤は、活性炭、ゼオライト、セピオライト、又はこれらを含んだ混合物からなっていることを特徴とする請求項２記載のガス分解フィルタユニット。
【請求項４】
前記光触媒は、二酸化チタン（ＴｉＯ２）、三酸化タングステン（ＷＯ３）、又はこれらを含んだ混合物からなっていることを特徴とする請求項１、２又は３記載のガス分解フィルタユニット。
【請求項５】
前記導光部材は、板状にてなっていることを特徴とする請求項１〜４のいずれか１項に記載のガス分解フィルタユニット。
【請求項６】
前記導光部材は、波板状にてなっていることを特徴とする請求項１〜５のいずれか１項に記載のガス分解フィルタユニット。
【請求項７】
前記波板状の導光部材は、複数の導光部材の各波の位相を互いにずらして配置されていることを特徴とする請求項６記載のガス分解フィルタユニット。
【請求項８】
請求項１〜７のいずれか１項に記載のガス分解フィルタユニットを備えていることを特徴とする空気清浄機。